(57)【要約】  【課題】  コネクタ全体の小型が図れるばかりか、組立が容易になる多極コネクタを提供する。  【解決手段】  スリーブ３を回転させると、このスリーブ３に設けたロック部３Ｂが、ロック用溝部４７のガイド溝部４７Ａの一方もしくは他方の傾斜カム面部４７Ａ−１、４７Ａ−２に摺接してロック用溝部４７の係合溝部４７Ｂに挿入されて、この係合溝部４７Ｂに設けたカム部４７ａを乗り越えてロック着座部４７ｂに至り、スプリングワッシャ２９のばね力がロック部３Ｂをロック着座部４７ｂに着座させる。【選択図】  図７
2006066354.tif 000002
【特許請求の範囲】
【請求項１】
コネクタのコネクタ嵌合部を相手コネクタの相手コネクタ嵌合部に嵌合して、前記コネクタ及び前記相手コネクタがそれぞれに有する接触端子を互いに接触させ、ロック手段により前記コネクタを前記相手コネクタに結合させるようにした多極コネクタであって、
前記コネクタ嵌合部は、コネクタ本体と、このコネクタ本体に所定量回転可能に取付けたスリーブとで形成してあり、
前記ロック手段は、前記スリーブに設けたロック部と、前記相手コネクタ嵌合部に設けたロック用溝部とを有しており、
前記ロック用溝部は、前記スリーブが回転することで前記ロック部を誘い込むガイド溝部と、更なる前記スリーブの回転で前記ロック部を係脱可能に係合する係合溝部とを有していて、前記ガイド溝部の入口の幅は、前記係合溝部の幅よりも広くしてあり、被嵌合時の前記スリーブの回転量が前記ガイド溝部から前記係合溝部までの間に規制されるスリーブ回転規制手段を有することを特徴とする多極コネクタ。
【請求項２】
前記スリーブは、コネクタ挿抜方向に所定量移動可能であり、前記ロック手段はロック固定手段を有しており、前記係合溝部にはカム部とロック着座部が設けてあり、前記ロック固定手段は、前記スリーブの回転で前記ロック部が前記カム部に摺動することにより圧縮されるばね部材を有していて、前記ばね部材は、そのばね力で前記ロック部を前記ロック着座部に着座させる構成にしてあることを特徴とする請求項１に記載の多極コネクタ。
【請求項３】
前記コネクタはコネクタシェルを有しており、このコネクタシェルの外周部に仕切部を形成し、前記スリーブは、その端部に支承部を有していて、前記コネクタシェルの外周部に、前記スリーブを、その支承部で回転可能に且つコネクタ挿抜方向に移動可能に取付けて前記スリーブの内周面部に前記仕切部を摺接させると共に、前記コネクタシェルの外周部にストッパーを設け、前記支承部と前記仕切部との間に前記ばね部材を介装して、このばね部材のばね力で前記支承部を前記ストッパーに摺接させて前記ロック固定手段を構成するようにしたことを特徴とする請求項１又は請求項２に記載の多極コネクタ。
【請求項４】
前記スリーブ回転規制手段は、前記仕切部に、所定の角度範囲に亘ってスリーブ回動用溝部を形成し、前記支承部に凸部を突設し、この凸部を前記スリーブ回動用溝部に挿入して前記スリーブの回転範囲を設定するようにしたことを特徴とする請求項３に記載の多極コネクタ。
【請求項５】
前記ガイド溝部は、前記相手コネクタ嵌合部の先端部からコネクタ挿抜方向に向って順次その幅が狭まる漏斗形状を成していて、前記ガイド溝部の両側部は、互いに逆方向に傾斜した傾斜カム面部で構成してあり、
前記係合溝部は、前記コネクタ挿抜方向に対して直交する方向に形成してあって、その一側面部は前記一方の傾斜カム面部に連なり、他側面部は前記他方の傾斜カム面部に連なっていて、前記一側面部に膨出部を設けて、この膨出部を前記カム部とし、このカム部より前記係合溝部の終端側に前記ロック着座部を位置させたことを特徴とする請求項２乃至請求項４のいずれかの一に記載の多極コネクタ。
【発明の詳細な説明】
【技術分野】
【０００１】
本発明は、プラグコネクタとレセプタクルとを有し、プラグコネクタをレセプタクルにロックするロック手段を改良した多極コネクタに関するものである。
【背景技術】
【０００２】
従来の多極コネクタは、特許文献１に述べられており、図８乃至図１２に示すように、コネクタＣｌと相手コネクタＣ２とを有していて、コネクタＣｌは、コネクタ本体１００とスリーブ１１０とばね部材１２０とから構成してある。
【０００３】
コネクタ本体１００は、その先側にコネクタ嵌合部１０１を有していて、このコネクタ嵌合部１０１の外周には、円環状のばね受座１０２と、コネクタ挿抜方向に沿う突起１０３と、段付部１０５とが形成してある。また、コネクタ嵌合部１０１には、その周方向の１箇所に凸部１０４が設けてある。
【０００４】
スリーブ１１０には、その縁部１１１の周方向の１箇所に凹部１１２が形成してあり、この凹部１１２の横幅は突起１０４の横幅よりも大きくしてある。また、スリーブ１１０の周壁の１８０度隔てた２箇所に螺旋方向に沿う長孔１１３が形成してあり、この長孔１１３の前側の孔壁面がガイド面１１４にしてある。また、スリーブ１１０の前端部内周側には、そのスリーブ１１０の前端面と長孔１１３のガイド面１１４の始部との間に亘る導入溝１１５が設けてある。
【０００５】
そして、スリーブ１１０は嵌合部１０１に回転可能に嵌合されていて、このスリーブ１１０の縁部１１１とばね受座１０２との間にばね部材１２０が介装してある。また、凸部１０４と凹部１１２とによって位置決め機構が構成してあり、スリーブ１１０が後退して凸部１０４に凹部１１２が嵌合したときには凸部１０４と凹部１１２との間に隙間が形成され、その隙間が遊び空間となってスリーブ１１０の一定角度内での遊び回転が許容される。
【０００６】
突起１０４と凹部１１２とが嵌合しているときには、図９に示すように、スリーブ１１０が段付部１０５に当たって、その後退位置が規制され、そのときの位置がスリーブ１１０の初期位置になっている。
【０００７】
相手コネクタＣ２は、図９に示したように、円筒状の被嵌合部１２１を有しており、被嵌合部１２１には、その周方向に１８０度隔てた２箇所には外向き突起１２３が設けてあり、また、被嵌合部１２１にはコネクタ挿抜方向に長い溝部（図示せず）が形成してある。
【０００８】
ここで、コネクタＣ１の突起１０３と相手コネクタＣ２の溝部とにより嵌め合い機構が構成してある。この嵌め合い機構は、コネクタＣｌ側の嵌合部１０１と相手コネクタＣ２側の被嵌合部１２１との周方向での嵌合位置を規制するものである。
【０００９】
コネクタＣｌ側の突起１０３を相手コネクタＣ２側の溝部に位置合わせした後、その嵌合部１０１を相手コネクタＣ２の被嵌合部１２１に差し込んで嵌合すると、相手コネクタＣ２の外向き突起１２３が導入溝１１５を経て、図９に示すように、スリーブ１１０の長孔１１３に嵌り込み、そのガイド面１１４の始部に導入される。このときに、仮に、スリーブ１１０が初期位置で遊び回転しているとしても、導入溝１１５の作用によって相手コネクタＣ２の外向き突起１２３はガイド面１１４の始部に導入される。
【００１０】
ロック操作はスリーブ１１０を回転させる操作で行われる。すなわち、両コネクタＣｌ、Ｃ２を接続した後、矢印方向Ｒにスリーブ１１０を回転させると、ガイド面１１４が外向き突起１２３により前方へ押されるので、スリーブ１１０がばね部材１２０のばね力に抗して回転されながら前進変位する。このため、ガイド面１１４と外向き突起１２３との係合位置が図１０の位置を経て移動した後、図１１及び図１２のように長孔１１３が外向き突起１２３に係止してロック状態になる。
【００１１】
上記したロック操作を行う場合、スリーブ１１０が初期位置に位置しているときには、位置決め機構の凸部１０４に凹部１１２が嵌合している。そのため、スリーブ１１０を初期位置に位置させたまま、スリーブ１１０を上述した遊び回転の範囲を越えて回転させることは不可能である。
【００１２】
しかし、両コネクタＣｌ、Ｃ２を接続したときには、相手コネクタＣ２の外向き突起１２３がガイド面１１４の始部に導入されているので、スリーブ１１０を回転させると、ガイド面１１４が外向き突起１２３に摺接してスリーブ１１０を前進変位させる。このようにしてスリーブ１１０が前進変位されると、図１１のように位置決め機構の凹部１１２がその凸部１０４から抜け出てスリーブ１１０の回転角度の規制状態（位置決め状態）が解除される。したがって、両コネクタＣｌ、Ｃ２を接続した後、スリーブ１１０を回転させるだけでロックすることが可能になる。
【００１３】
また、従来の多極コネクタは、特許文献２に述べられており、図１３及び図１４に示すようにプラグ２００には、カップリングナット２０１が回転可能に装着してあり、このカップリングナット２０１の内周面には、一対の係合ピン２０２が突設してある。この場合、カップリングナット２０１はバレル２０３に対してコネクタ挿抜方向へ移動することができないようにしてある。また、レセプタクル２１０のシェル２１１の外周面には、一対の略Ｌ字状のカム溝２１２が形成してある。
【００１４】
そして、プラグ２００を図１４の矢印方向へ略直進的にレセプタクル２１０に係合する。すると、まず、各係合ピン２０２が各カム溝２１２の導入部に当接してガイドされ、カップリングナット２０１が若干の角度回転し、次に、プラグ２００に内蔵され、両端部がそれぞれ固定されたねじりコイルばね（図示せず）の復元力によって、カップリングナット２０１は逆方向へ回転し、各係合ピン２０２が各カム溝２１２のロック部２１２Ａに進入する。したがって、プラグ２００とレセプタクル２１０とは結合し、ねじりコイルばねによってロックされるようになる。
【特許文献１】特開平１１−３３９８９０号公報
【特許文献２】特開２００１−２６７００６号公報
【発明の開示】
【発明が解決しようとする課題】
【００１５】
上記した従来の前者の多極コネクタにあっては、上記したロック操作を行う場合、スリーブ１１０が初期位置に位置しているときには、位置決め機構の凸部１０４に凹部１１２が嵌合していて、スリーブ１１０の回転角度の規制（位置決め）が行われ、スリーブ１１０を前進変位させることで、凹部１１２がその凸部１０４から抜け出てスリーブ１１０の回転規制を解除して、ロックを行うべくスリーブ１１０を回転させている。
【００１６】
このように、スリーブ１１０の初期位置でスリーブ１１０の回転角度の規制（位置決め）が行われ、スリーブ１１０を前進変位させることで、スリーブ１１０の回転規制を解除しており、このスリーブ１１０を前進変位させる動作が有ることにより嵌合部１０１の全長が長くなって、コネクタ全体の小型が図れないという問題点があった。
【００１７】
また、上記した従来の後者の多極コネクタにあっては、プラグ２００をレセプタクル２１０に係合すると、まず、各係合ピン２０２が各カム溝２１２の導入部に当接してガイドされ、カップリングナット２０１が若干の角度回転し、次に、両端部がそれぞれ固定されたねじりコイルばねの復元力によって、カップリングナット２０１は逆方向へ回転し、各係合ピン２０２が各カム溝２１２のロック部２１２Ａに進入し、ねじりコイルばねによってロックされるものであり、このねじりコイルばねのばね力をもって各係合ピン２０２を各カム溝２１２のロック部２１２Ａに進入させてロックしており、ねじりコイルばねを固定する工程が必要になるばかりか、ロックが不完全になるという問題点があった。また、ねじりコイルばねのばね力に抗してカップリングナットを回転させると、破損してしまうおそれがあった。
【００１８】
本発明は、上記の問題点に着目してなされたものであって、その目的とするところは、コネクタ全体の小型が図れるばかりか、組立を容易とする多極コネクタを提供することである。
【課題を解決するための手段】
【００１９】
上記の目的を達成するために、本発明に係る多極コネクタは、コネクタのコネクタ嵌合部を相手コネクタの相手コネクタ嵌合部に嵌合して、コネクタ及び相手コネクタがそれぞれに有する接触端子を互いに接触させ、ロック手段によりコネクタを相手コネクタに結合させるようにした多極コネクタであって、コネクタ嵌合部は、コネクタ本体と、このコネクタ本体に所定量回転可能に取付けたスリーブとで形成してあり、ロック手段は、スリーブに設けたロック部と、相手コネクタ嵌合部に設けたロック用溝部とを有しており、ロック用溝部は、スリーブが回転することでロック部を誘い込むガイド溝部と、更なるスリーブの回転でロック部を係脱可能に係合する係合溝部とを有していて、ガイド溝部の入口の幅は、係合溝部の幅よりも広くしてあり、被嵌合時のスリーブの回転量がガイド溝部から係合溝部までの間に規制されるスリーブ回転規制手段を有することを特徴とする。
【００２０】
かかる構成により、コネクタを相手側コネクタに押し込むことで、スリーブに設けたロック部をロック用溝部のガイド溝部に挿入し、ロック部がガイド溝部の壁部に摺動してスリーブが回転する。この状態で、スリーブを回転させることで、ロック部を係合溝部に進入させてロックを完了する。また、ロックの解除は、スリーブを逆回転させることで、ロック部を係合溝部を経てガイド溝部に脱出させることで行う。
【００２１】
したがって、スリーブの初期位置でスリーブの回転角度の規制（位置決め）が行われ、スリーブを前進変位させることで、スリーブの回転規制を解除するという動作が不要になって、コネクタ全体の小型が図れる。また、ねじりコイルばねのばね力をもって各係合ピンを各カム溝のロック部に進入させてロックするようなことがなく、ねじりコイルばねを固定する工程がなく、組立が容易となる。
【００２２】
また、本発明に係る多極コネクタは、上記した本発明に係る多極コネクタにおいて、スリーブは、コネクタ挿抜方向に所定量移動可能であり、ロック手段はロック固定手段を有しており、係合溝部にはカム部とロック着座部が設けてあり、ロック固定手段は、スリーブの回転でロック部がカム部に摺動することにより圧縮されるばね部材を有していて、ばね部材は、そのばね力でロック部をロック着座部に着座させる構成にしてあることを特徴とする。
【００２３】
かかる構成により、コネクタを相手側コネクタに押し込むことで、スリーブに設けたロック部をロック用溝部のガイド溝部に挿入し、スリーブを回転させることで、ロック部がカム部に摺動してロック着座部に至ると、ロック固定手段のばね部材のばね力がスリーブを介してロック部をロック着座部に着座させ、ロックを完了する。また、ロックの解除は、スリーブを逆回転させることで、ロック部をロック着座部からカム部を経てガイド溝部に脱出させることで行う。
【００２４】
したがって、スリーブの初期位置でスリーブの回転角度の規制（位置決め）が行われ、スリーブを前進変位させることで、スリーブの回転規制を解除するという動作が不要になって、コネクタ全体の小型が図れる。また、ねじりコイルばねのばね力をもって各係合ピンを各カム溝のロック部に進入させてロックするようなことがなく、ねじりコイルばねを固定する工程がなく、組立が容易となり、完全なロックも実施することができる。
【００２５】
また、本発明に係る多極コネクタは、上記した本発明に係る多極コネクタにおいて、コネクタはコネクタシェルを有しており、このコネクタシェルの外周部に仕切部を形成し、スリーブは、その端部に支承部を有していて、コネクタシェルの外周部に、スリーブを、その支承部で回転可能に且つコネクタ挿抜方向に移動可能に取付けてスリーブの内周面部に仕切部を摺接させると共に、コネクタシェルの外周部にストッパーを設け、支承部と仕切部との間にばね部材を介装して、このばね部材のばね力で支承部をストッパーに摺接させてロック固定手段を構成するようにしたことを特徴とする。
【００２６】
かかる構成により、ロック固定手段において、ばね部材は、ロック部がカム部に乗り上げると圧縮され、ロック部がロック着座部に至ると、ばね力でロック部をロック着座部に押し付けるように作用するために、ロック部をロック着座部に確実に着座させることができる。このために、カム部がロック部に干渉してロック部の移動がなく、ロックを完全なものにすることができる。しかも、スリーブは、ストッパーによって、コネクタシェルから外れないようになっているために、コネクタの分解時に、スリーブが脱落することがなくなり、分解及び組付けが容易になる。
【００２７】
また、本発明に係る多極コネクタは、上記した本発明に係る多極コネクタにおいて、スリーブ回転規制手段は、仕切部に、所定の角度範囲に亘ってスリーブ回動用溝部を形成し、支承部に凸部を突設し、この凸部をスリーブ回動用溝部に挿入してスリーブの回転範囲を設定するようにしたことを特徴とする。
【００２８】
かかる構成により、スリーブの回転範囲を、ロック用溝部の位置に応じて設定することができる。
【００２９】
また、本発明に係る多極コネクタは、上記した本発明に係る多極コネクタにおいて、ガイド溝部は、相手コネクタ嵌合部の先端部からコネクタ挿抜方向に向って順次その幅が狭まる漏斗形状を成していて、ガイド溝部の両側部は、互いに逆方向に傾斜した傾斜カム面部で構成してあり、係合溝部は、コネクタ挿抜方向に対して直交する方向に形成してあって、その一側面部は一方の傾斜カム面部に連なり、他側面部は他方の傾斜カム面部に連なっていて、一側面部に膨出部を設けて、この膨出部をカム部とし、このカム部より係合溝部の終端側にロック着座部を位置させたことを特徴とする。
【００３０】
かかる構成により、コネクタを相手側コネクタに押し込むことで、スリーブに設けたロック部がロック用溝部のガイド溝部に挿入され、ロック部が一方もしくは他方の傾斜カム面部に摺接してスリーブが回転する。この状態でスリーブを回転させることにより、ロック部が係合溝部に挿入されてカム部を乗り越えてロック着座部に至り、ばね部材のばね力がロック部をロック着座部に着座させる。この状態では、カム部がロック部に干渉してロック部の移動がなく、完全なロックを実施することができる。
【発明の効果】
【００３１】
本発明に係る多極コネクタによれば、コネクタ全体の小型が図れるし、組立を容易とすることができる。しかも、スリーブは、ストッパーによって、コネクタシェルから外れないようになっているために、コネクタの分解時に、スリーブが脱落することがなくなり、分解及び組付けが容易になる。
【００３２】
また、本発明に係る多極コネクタによれば、スリーブの回転範囲を、ロック用溝部の位置に応じて設定して、スリーブの回転を規制することができる。
【発明を実施するための最良の形態】
【００３３】
以下、本発明の実施の形態について、図１乃至図７を参照して説明する。
【００３４】
図１は本発明に係る多極コネクタの一部破断した分解状態の側面図、図２はコネクタプラグの正面図、図３は図２のＶ−Ｖ線に沿う断面図である。
【００３５】
本発明の多極コネクタは、図１に示すように、コネクタであるコネクタプラグ１と、相手コネクタであるレセプタクル４０とを備えている。
【００３６】
コネクタプラグ１はコネクタ本体１Ａを備えており、このコネクタ本体１Ａは、コネクタシェルである金属製のプラグシェル２と、このプラグシェル２に回転可能に取付けられてプラグシェル２と共に、コネクタ嵌合部１５を形成するスリーブ３と、プラグシェル２内に挿入される合成樹脂製の絶縁ケース４とで構成してある。
【００３７】
プラグシェル２は、その外周部の中間部に仕切部９を有しており、この仕切部９より先側（図１において左側）が嵌合面部１０にしてあり、仕切部９より後側（図１において右側）がコード管接続部１１にしてある。そして、仕切部９には、図２に示すように、略９０度の範囲に亘ってスリーブ回動用溝部１１Ａが形成してあり、嵌合面部１０にはＯリング挿入溝部１０Ａが形成してあり、また、嵌合面部１０には、その先端縁部から仕切部９側にかけてコネクタ挿抜方向に沿う嵌合位置合わせ用溝部１０Ｂが形成してある。また、コード管接続部１１には、図３に示すように、スリーブ支承部１２と、止めリング挿入溝部１２Ａと、雄ねじ部１３とが形成してあり、また、プラグシェル２の内部に絶縁ケース挿入部１４が形成してある。
【００３８】
スリーブ３は、その後端部にフランジ形状の支承部３Ａを有していて、この支承部３Ａには、図３に示すように、コネクタ挿抜方向に突出する凸部３ｂが突設してあるし、支承部３Ａの外周縁部は面取りされていて、この面取り部がリング摺接部３ｃを構成している。また、図２に示すように、スリーブ３の内周面部３ａには、１８０度位相をずらした位置に係合突起状のロック部３Ｂが一対突設してある。
【００３９】
そして、プラグシェル２のＯリング挿入溝部１０Ａには防水用Ｏリング２５が、また、止めリング挿入溝部１２Ａにはストッパーを構成する止めリング２６がそれぞれ設けてある。そして、プラグシェル２には、スリーブ支承部１２に支承部３Ａを支承させてスリーブ３が回転可能に取付けてあり、このスリーブ３の内周面部に仕切部９の周面が摺接している。
【００４０】
また、スリーブ３の凸部３ｂが仕切部９のスリーブ回動用溝部１１Ａに挿入してあり、スリーブ３のリング摺接部３ｃが止めリング２６に摺接している。そして、スリーブ３の支承部３Ａと仕切部９との間にばね部材であるスプリングワッシャ２９が介装してある。
【００４１】
上記したように、プラグシェル２の外周部に、スリーブ３を、その支承部３Ａで回転可能に且つコネクタ挿抜方向に移動可能に取付けてスリーブ３の内周面部３ａに仕切部９を摺接させると共に、プラグシェル２の止めリング挿入溝部１２Ａに止めリング２６を設け、支承部３Ａと仕切部９との間にスプリングワッシャ２９を介装して、このスプリングワッシャ２９のばね力で支承部３Ａのリング摺接部３ｃを止めリング２６に摺接させることでロック固定手段が構成してある。
【００４２】
また、上記したように、スリーブ３の凸部３ｂを仕切部９のスリーブ回動用溝部１１Ａに挿入することで、スリーブ回転規制手段が構成してある。
【００４３】
また、プラグシェル２の絶縁ケース挿入部１４には絶縁ケース４が挿入してあり、この絶縁ケース４には、その軸線方向に沿う端子挿入部１７が複数形成してある。
【００４４】
プラグシェル２のコード管接続部１１には、コード管５が、その雌ねじ部１８を雄ねじ部１３に螺合することで連結してある。この場合、コード管５に設けたＯリング装着溝部１９に装着した防水用Ｏリング１９Ａがコード管接続部１１の端部の外周面に摺接しており、コード管５の当接面部２０ａがプラグシェル２のコード管接続部１１の端面部に摺接している。また、コード管５の内孔部２０にはシールド電線３０が挿通してあり、このシールド電線３０の端末部の導体３２の露出部分には接触端子である雌型端子３７が接続してあって、雌型端子３７が絶縁ケース４の端子挿入部１７に挿入固定してある。
【００４５】
そして、コード管５のガスケット装着部２１にガスケット７を挿入し、コード管５の雄ねじ部２３に締付けリング２４を螺合して締め付けることにより、この締付けリング２４の内面部に設けたテーパ部２４Ｂでコードクランプ８を押して、このコードクランプ８をガスケット７側に移動して先端部でガスケット７を押圧している。この場合、ガスケット７は半径方向に変形してシールド電線３０を圧迫して防水を行い、コードクランプ８は半径方向に変形してシールド電線３０を把持している。
【００４６】
また、コード管５のばね部材装着部２２には、接触ばね部材６が、径方向に圧縮された状態で装着してあり、接触ばね部材６がシールド電線３０のアース金具３６の外周面に接触している。
【００４７】
このように構成されたコネクタプラグ１では、シールド電線３０のシールド層３４は、アース金具３６、接触ばね部材６、コード管５を介してプラグシェル２に導通している。
【００４８】
レセプタクル４０は、図１及び図４に示すように、金属製のレセプタクルシェル４１と、このレセプタクルシェル４１内に挿入される合成樹脂製の絶縁ケース４２と、この絶縁ケース４２に保持される複数本の接触端子である雄型端子４３とを備えている。
【００４９】
レセプタクルシェル４１は、その外周部の中間部に形成したフランジ部４４を有しており、このフランジ部４４より前側（図１において右側）が筒形状のコネクタ嵌合部（相手コネクタ嵌合部）４６にしてあり、このコネクタ嵌合部４６の外周部には、図５に示すように、ロック用溝部４７が１８０度位相をずらした位置にそれぞれ形成してある。これらのロック用溝部４７は、ガイド溝部４７Ａと、このガイド溝部４７Ａに連なる係合溝部４７Ｂとを備えている。そして、図４に示すように、ガイド溝部４７Ａの入口の幅Ｂ１は係合溝部４７Ｂの幅Ｂ２よりも広くしてある。
【００５０】
ガイド溝部４７Ａは、コネクタ嵌合部４６の先端部（前縁部）４６ａからフランジ部４４側に向って順次その幅が狭まる漏斗形状を成していて、ガイド溝部４７Ａの両側部は、互いに逆方向に傾斜した傾斜カム面部４７Ａ−１、４７Ａ−２にしてある。また、係合溝部４７Ｂはコネクタ挿抜方向に対して直交する方向に形成してあって、その一側面部４７Ｂ−１はガイド溝部４７Ａの一方の傾斜カム面部４７Ａ−１に連なっており、また、係合溝部４７Ｂの他側面部４７Ｂ−２はガイド溝部４７Ａの他方の傾斜カム面部４７Ａ−２に連なっている。
【００５１】
そして、係合溝部４７Ｂの一側面部４７Ｂ−１には、係合溝部４７Ｂの入口に近づけて膨出部からなるカム部４７ａが形成してあり、このカム部４７ａから係合溝部４７Ｂの終端面部４７ｃとの間がロック着座部４７ｂにしてある。また、図５に示すように、コネクタ嵌合部４６の内周面部には、コネクタ挿抜方向に沿う嵌合位置合わせ用突起部４７Ｄが設けてある。
【００５２】
また、フランジ部４４より後側（図１において左側）の筒状部４８には雄ねじ部４８Ａが形成してある。また、レセプタクルシェル４１の内部に絶縁ケース挿入部４９が形成してある。
【００５３】
そして、この絶縁ケース挿入部４９には絶縁ケース４２が挿入してあり、この絶縁ケース４２の端子挿入部５０には雄型端子４３が挿入固定してあって、雄型端子４３のコンタクト部４３Ａはコネクタ嵌合部４６内に突入している。また、コネクタ嵌合部４６内にはリング形状の接触部材５１が挿入してあり、この接触部材５１は周方向に波打つ波形形状にしてあって、この接触部材５１の裏面側がレセプタクルシェル４１に接触するようになっている。
【００５４】
また、コネクタプラグ１のスリーブ３に設けたロック部３Ｂと、レセプタクル４０のコネクタ嵌合部４６に設けたロック用溝部４７と、上記したロック固定手段とでロック手段を構成している。
【００５５】
次に、上記のように構成されたコネクタプラグ１とレセプタクル４０との結合及びこの結合の解除を説明する。
【００５６】
レセプタクル４０は、図１に示すように、レセレセプタクルシェル４１のねじ部４８を、例えば、電気機器の導電性の筐体（図示せず）の壁部６０の取付用孔６１に挿入してねじ部４８にワッシヤ６３を嵌め、締付け用ナット６４を螺合して、この締付け用ナット６４を締め付けることで、フランジ部４４とワッシヤ６３とで筐体の壁部６０を挟み、この筐体に取付けてある。この場合、フランジ部４４に設けたＯリング装着溝部４５に装着した防水用Ｏリング５２が壁部６０に当接するようになる。
【００５７】
嵌合位置合わせ用溝部１０Ｂと嵌合位置合わせ用突起部４７Ｄにより、コネクタプラグ１とレセプタクル４０との嵌合位置合わせを行い、レセプタクルシェル４１のコネクタ嵌合部４６をコネクタプラグ１のコネクタ嵌合部１５に嵌合して、雌型端子３７の接続部を雄型端子４３のコンタクト部４３Ａに接続し、プラグシェル２の先端部２Ａを接触部材５１を介してレセプタクルシェル４１に接触させる。
【００５８】
この場合には、上記したロック手段においては、レセプタクルシェル４１のコネクタ嵌合部４６をコネクタプラグ１のコネクタ嵌合部１５に嵌合する場合には、まず、嵌合位置合わせ用溝部１０Ｂと嵌合位置合わせ用突起部４７Ｄにより、コネクタプラグ１とレセプタクル４０との嵌合位置合わせを行い、スリーブ３のロック部３Ｂをコネクタ嵌合部４６のロック用溝部４７のガイド溝部４７Ａに挿入して、スリーブ３を回転させることでロック部３Ｂを係合溝部４７Ｂに係脱可能に係合する。
【００５９】
この場合、図７で矢印イに示すように、ロック部３Ｂが一方の傾斜カム面部４７Ａ−１に摺接して係合溝部４７Ｂに挿入されてロック着座部４７ｂに至る場合と、図７で矢印ロに示すように、ロック部３Ｂが他方の傾斜カム面部４７Ａ−２に摺接して係合溝部４７Ｂに挿入されてロック着座部４７ｂに至る場合とがあり、いずれの場合も、ロック部３Ｂがロック着座部４７ｂに至るとスプリングワッシャ２９のばね力（反撥力）がスリーブ３を図１において右方向に押すようになって、ロッ部３Ｂがロック着座部４７ｂに着座する。
【００６０】
この状態で、スリーブ３が逆回転しようにもカム部４７ａがロック部３Ｂに干渉して、スリーブ３は逆回転することがない。
【００６１】
このように、コネクタ嵌合部４６がコネクタ嵌合部１５に完全に嵌合した状態では、プラグシェル２の先端部２Ａが接触部材５１を介してレセプタクルシェル４１に接触する。したがって、シールド電線３０のシールド層３４は、アース金具３６、接触ばね部材６、コード管５、プラグシェル２、接触部材５１、レセプタクルシェル４１を介して電気機器の筐体の壁部６０に導通することになる。
【００６２】
コネクタプラグ１とレセプタクル４０との結合を解除する場合には、スリーブ３を逆回転させることで、ロック部３Ｂをカム部４７ａを越えて係合溝部４７Ｂから脱出させてガイド溝部４７Ａの傾斜カム面部４７Ａ―２に摺接させることで、コネクタプラグ１をレセプタクル４０から引き抜くことができる。
【００６３】
以上説明したように、本発明の実施の形態によれば、スリーブ３に設けたロック部３Ｂをロック用溝部４７のガイド溝部４７Ａに挿入してスリーブ３を回転させることで、ロック部３Ｂがカム部４７ａに摺動してロック着座部４７ｂに至ると、スプリングワッシャ２９のばね力がスリーブ３を介してロック部３Ｂをロック着座部４７ｂに着座させ、ロックを完了する。また、ロックの解除は、スリーブ３を逆回転させることで、ロック部３Ｂをロック着座部４７ｂからカム部４７ａを経てガイド溝部４７Ａに脱出させることで行う。
【００６４】
したがって、従来のように、スリーブの初期位置でスリーブの回転角度の規制（位置決め）が行われ、スリーブを前進変位させることで、スリーブの回転規制を解除するという動作が不要になって、コネクタ全体の小型が図れる。また、ねじりコイルばねのばね力をもって各係合ピンを各カム溝のロック部に進入させてロックするようなことがなく、ねじりコイルばねを固定する工程がなく、組立が容易となる。
【００６５】
また、本発明の実施の形態によれば、プラグシェル２の外周部に、スリーブ３を、その支承部３Ａで回転可能に且つコネクタ挿抜方向に移動可能に取付けてスリーブ３の内周面部に仕切部９を摺接させると共に、プラグシェル２の止めリング挿入溝部１２Ａに止めリング２６を設け、支承部３Ａと仕切部９との間にスプリングワッシャ２９を介装して、このスプリングワッシャ２９のばね力で支承部３Ａを止めリング２６に摺接させることでロック固定手段を構成したことにより、このロック固定手段において、スプリングワッシャ２９は、ロック部３Ｂがカム部４７ａに乗り上げると圧縮され、ロック部３Ｂがロック着座部４７ｂに至ると、ばね力でロック部３Ｂをロック着座部４７ｂに押し付けるように作用するために、ロック部３Ｂをロック着座部４７ｂに確実に着座させることができる。このために、カム部４７ａがロック部３Ｂに干渉してロック部３Ｂの移動がなく、ロックを完全なものにすることができる。しかも、スリーブ３は、止めリング２６によって、プラグシェル２から外れないようになっているために、プラグコネクタ１の分解時に、スリーブ３が脱落することがなくなり、分解及び組付けが容易になる。
【００６６】
また、本発明の実施の形態によれば、仕切部９に、所定の角度範囲に亘ってスリーブ回動用溝部１１Ａを形成し、支承部３Ａに凸部３ｂを突設し、この凸部３ｂをスリーブ回動用溝部１１Ａに挿入して、スリーブ３の回転範囲を設定するようにしたことにより、スリーブ３の回転範囲を、ロック用溝部４７の位置に応じて設定することができる。
【００６７】
また、本発明の実施の形態によれば、ガイド溝部４７Ａは、コネクタ嵌合部４６の先端部からコネクタ挿抜方向に向って順次その幅が狭まる漏斗形状を成していて、ガイド溝部４７Ａの両側部は、互いに逆方向に傾斜した傾斜カム面部４７Ａ−１、４７Ａ−２で構成してあり、係合溝部４７Ｂは、コネクタ挿抜方向に対して直交する方向に形成してあって、その一側面部４７Ｂ−１は一方の傾斜カム面部４７Ａ−１に連なり、他側面部４７Ｂ−２は他方の傾斜カム面部４７Ａ−２に連なっていて、一側面部４７Ｂ−１に膨出部を設けて、この膨出部をカム部４７ａとし、このカム部４７ａより係合溝部４７Ｂの終端側にロック着座部４７ｂを位置させたことにより、コネクタプラグ１とレセプタクル４０を嵌合させると、ロック部３Ｂが一方もしくは他方の傾斜カム面部４７Ａ−１、４７Ａ−２に摺接して、図７の位置に至り、スリーブ３を回転させるとロック部３Ｂは、係合溝部４７Ｂに挿入されてカム部４７ａを乗り越えてロック着座部４７ｂに至り、スプリングワッシャ２９のばね力がロック部３Ｂをロック着座部４７ｂに着座させる。この状態では、カム部４７ａがロック部３Ｂに干渉してロック部３Ｂの移動がなく、ロックを完全なものにすることができる。
【産業上の利用可能性】
【００６８】
本発明に係る多極コネクタは、コネクタ全体の小型が図れ、組立を容易とすることができるし、しかも、スリーブは、ストッパーによって、コネクタシェルから外れないようになっているために、コネクタの分解時に、スリーブが脱落することがなくなり、分解及び組付けが容易になるという効果を有し、多極コネクタ等の電気コネクタとして有用である。
【図面の簡単な説明】
【００６９】
【図１】本発明に係る多極コネクタの一部破断した分解状態の側面図である。
【図２】同多極コネクタにおけるプラグコネクタの正面図である。
【図３】図２のＶ−Ｖ線に沿う断面図である。
【図４】同多極コネクタにおけるレセプタクルコネクタの側面図である。
【図５】同レセプタクルコネクタの正面図である。
【図６】図４のＸ部の拡大図である。
【図７】ロック部のロック用溝部への挿入を説明するための説明図である。
【図８】従来の多極コネクタのプラグコネクタの分解状態の斜視図である。
【図９】相手コネクタにコネクタを結合した状態の概略的な側面図である。
【図１０】ロック操作の初期段階を示す概略的な側面図である。
【図１１】ロック操作の中間段階を示す概略的な側面図である。
【図１２】ロック状態を示す概略的な側面図である。
【図１３】従来の他の多極コネクタの分解状態の斜視図である。
【図１４】同多極コネクタのロック操作の初期段階を示す概略的な側面図である。
【符号の説明】
【００７０】
１          コネクタプラグ（コネクタ）
１Ａ        コネクタ本体
２          プラグシェル（コネクタシェル）
３          スリーブ
４          絶縁ケース
９          仕切部
３Ａ        支承部
３Ｂ        ロック部（ロック手段）
３ｂ        凸部
３ｃ        リング摺接部
１１Ａ      スリーブ回動用溝部
１５        コネクタ嵌合部
２６        止めリング（ストッパー）
２９        スプリングワッシャ（ばね部材）（ロック固定手段）（ロック手段）
４０        レセプタクル（相手コネクタ）
４６        コネクタ嵌合部（相手コネクタ嵌合部）
４７        ロック用溝部（ロック手段）
４７Ａ      ガイド溝部
４７Ａ−１  一方の傾斜カム面部
４７Ａ−２  他方の傾斜カム面部
４７Ｂ      係合溝部
４７Ｂ−１  一側面部
４７Ｂ−２  他側面部
４７ａ      カム部
４７ｂ      ロック着座部
【図１】
2006066354.tif 000003
【図２】
2006066354.tif 000004
【図３】
2006066354.tif 000005
【図４】
2006066354.tif 000006
【図５】
2006066354.tif 000007
【図６】
2006066354.tif 000008
【図７】
2006066354.tif 000009
【図８】
2006066354.tif 000010
【図９】
2006066354.tif 000011
【図１０】
2006066354.tif 000012
【図１１】
2006066354.tif 000013
【図１２】
2006066354.tif 000014
【図１３】
2006066354.tif 000015
【図１４】
2006066354.tif 000016